(57)【要約】【目的】  きれいな下水を、きれいな河川に放流すれば、きれいな河川が汚染される。このため、接触酸化堤による魚道を利用した下水の高度浄化装置により放流下水を高度に浄化しようとするものである。【構成】  放流下水や放流下水の混合した河川水の縦断方向に連続して設けられた多空隙を有する接触酸化堤の上下流の両端部にそれどれ左右に可動堰を配置し、上下流の可動堰を交互に操作することにより、大量の放流下水を透過させ浄化すると共に、時には、この装置を縦列または横列的に配置し、繰返し操作ことにより、目詰まりを防止し、高度な水質を維持する【効果】自然のエネルギを利用して下水の排水を浄化する装置で、水処理に要するランニングコストが不要であり、しかも、水処理に伴う汚泥は自然の生態循環の中で処理され、流出オイルやヘドロも浄化され魚介類がおいしくなる。
2008068872.tif 000002
【特許請求の範囲】
【請求項１】
放流下水路や放流下水の流入河川の流水の縦断方向に連続して設けられた多空隙を有する接触酸化堤の上流及び下流部の両端部に可動堰を配置した接触酸化堤による魚道を利用した下水の高度浄化装置
【発明の詳細な説明】
【技術分野】
【０００１】
本願発明は接触酸化堤による魚道を利用した下水の高度浄化装置を利用した下水の高度浄化装置に関する。
【背景技術】
【０００２】
砂石の中を水が透過すると、自然の力によって水がきれいになる。また、春先には、多くの魚類が溯上し、夏場は上流で栄養を摂取し、川の水をきれいにしながら成長して、秋口に成魚となり川を下る。
かつて、１９８１年に、ＰＴＣ／ＪＰ８２／００４１９（ＪＰ？１８０６９５４）「水域の浄化システム」を発明した。この技術は、水位変化のある水域で、多空隙を有する砕波堤（接触酸化堤）を用いて浄化しようとする水域を包囲して締め切る「水域の空（ＵＴＳＵＲＯ）」を構成するもので、外水域の水位変化に伴い、「水域の空（ＵＴＳＵＲＯ）」を構成する接触酸化堤を透過し、浄化されたきれいな水が「水域の空（ＵＴＳＵＲＯ）」内、外に流出入を繰り返す、自然の水質浄化技術である。
また２００４年に特許弟３５３４０６１号「接触酸化堤の水位変動装置を利用した魚道装置」を発明した。この装置は接触酸化堤を利用して水を浄化しながら魚の遡上助ける装置であり、これらの技術を利用して、下水の放流の高度浄化を促進しようとするものである。
【特許文献１】ＰＴＣ／ＪＰ８２／００４１９（ＪＰ？１８０６９５４）「水域の浄化システム」
【特許文献２】特許弟３５３４０６１号「接触酸化堤の水位変動装置を利用した魚道装置」
【発明の開示】
【発明が解決しようとする課題】
【０００３】
きれいな下水が、きれいな河川やきれいな海域に放流すれば、きれいな河川やきれいな海域が汚染される。
これは下水の放流基準（高級処理）はＢＯＤ２０ｐｐｍで、きれいな河川はＢＯＤで２ｐｐｍ以下で、きれいな海域はＣＯＤで０２以下である。きれいな下水ときれいな河川の間では１桁、きれいな海域では二桁の隔たりがある。
最近では高級処理した下水を、更に急速ろ過を行い、オゾン処理や活性炭処理を行っているのが現状である。
この為、下水の処理費が嵩み受益者の大きな負担となっている。
したがって、自然のエネルギーを利用した「接触酸化堤による魚道を利用した下水の高度浄化装置」により、これらの問題を解決しようとするものである。
【課題を解決するための手段】
【０００４】
放流下水路や放流下水の流入した河川の縦断方向に連続して設けられた、多空隙を有する接触酸化堤の上流及び下流の両端部に、それどれ左右に可動堰を設置し、上下流の可動堰を交互に操作をすることによって、放流下水や放流下水の混入した河川水（以下放流汚水と言う）を多空隙を有する接触酸化堤を透過させ、時にはこの装置を縦列または横列的に配置し、汚水を高度に浄化しようとするものである。
【発明の効果】
【０００５】
放流下水路や放流下水の混合した河川の縦断方向に連続して設けられた、多空隙を有する接触酸化堤は、上下流の４個所の可動堰を交互に操作することにより、接触酸化堤の左右に水位差を設けることにより、放流汚水を大量に接触酸化堤を透過させ浄化することが可能になる。時には、この装置を縦列または横列的に配置し、繰返し操作ことにより、高度な水質を維持することが可能になる。
接触酸化堤を透過した水はオイルの除去効果も高く、交互に操作により接触酸化堤の欠点である目詰まりを防止し、透明度が高く、水底に藻類が発生し光合成作用が活発に行われ豊酸素水域となり、ヘドロの発生や予防効果がある。
さらに、魚介の遡上も容易にし、浄化に伴い接触酸化堤１の生物膜に取り込まれた栄養物（廃棄物）は、生態循環の中で処理される。
【図面の簡単な説明】
【０００６】
［図１］接触酸化堤による魚道を利用した下水の高度浄化装置の面図で［図１−（ａ）］は接触酸化堤１の上流部の可動堰の右２１閉鎖、左２２開放，下流部の可動堰の右３１開放、左３２閉鎖の状態を表し、［図１−（ｂ）］は接触酸化堤１の上流部の可動堰の右２１開放、左２２閉鎖，下流部の可動堰３１の右閉鎖、左３２開放の状態を表す。
［図２］接触酸化堤による魚道を利用した下水の高度浄化装置のＣ−Ｃ断図で［図２−（ａ）］上記［図１−（ａ）］のＣ−Ｃ断図を示し、［図２−（ｂ）］は［図１−（ｂ）］のＣ−Ｃ断図を示す。
【符号の説明】
【０００７】
１  接触酸化堤
１´  横列の接触酸化堤
２  上流部の可動堰（２１２２は左右の可動堰）
３  下流部の可動堰（３１３２は左右の可動堰）
４  水路壁や護岸
５  放流下水や放流下水の混入した河川水の流れの方向
６  左側のポンド（酸化池）
７  右側のポンド（酸化池）
８  上流の水域
９  下流の水域
１０  河床
【発明を実施するための最良の形態】
【０００８】
以下［実施例］と合わせて説明する
【実施例】
【０００９】
本願発明の実施例を図面に基づいて説明する。
１は接触酸化堤で、材料は公知の浄化ブロック、コンクリートブロック、岩石、砂礫、蛇篭、ふとん篭等で、これ等を累積した多空隙のある堤体である。
図−１は平面図、図−２はＣ−Ｃ断面図を表す。このような接触酸化堤を放流下水路や放流下水の混合した河川の流水の（縦断）方向に１のように設置し、このような接触酸化堤１の上流端左２１右２２、及び、下流端左３１、右３２に可動堰を設置する。
可動堰２１２２３１３２は、公知の引き上げ式、転倒式、チュブ式等の可動堰で、▲×▼は閉鎖された状態を表し、▲□▼は開放された状態を表す。
〈図の（ａ）〉【００１０】
接触酸化堤１の上流部の可動堰の右２１閉鎖、左２２開放，下流部の可動堰の右３１開放、左３２閉鎖の状態を表す。
したがって、図の（ａ）は、上流から流れてきた汚水は右側のオープン状態の可動堰２２流下して酸化池７に入るが下流部可動堰３２が閉鎖されているため、酸化池７の水位が上昇し、透過性の接触酸化堤１を浄化されながら透過して、酸化池６に流入し、下流の左の可動堰３１がオオプン状態になっているため浄化された水が自然に流下する。
〈（ｂ）の状態への移行〉【００１１】
次に、図の（ｂ）の状態への移行については、上流部右の可動堰２２を閉鎖し、ポンド７の水位が、ポンド６程度に低下したことを確認して、下流部左の可動堰３１を閉鎖し右の可動堰３２開放すると同時に、上流部左の可動堰２１を開放することによって、図の（ｂ）の状態となる。
〈図の（ｂ）〉【００１２】
接触酸化堤１の上流部の可動堰の右２１開放、左２２閉鎖，下流部の可動堰３１の右閉鎖、左３２開放の状態を表す。
したがって、図の（ｂ）の状態は、上流から流れてきた放流下水や放流下水の混入した河川水は右側のオープン状態の可動堰２１通過して酸化池６に流入するが下流の可動堰が閉鎖されているため、酸化池６の水位が上昇し、透過性の接触酸化堤１左から右に透過して、浄化された水が酸化池７に流入し、下流の左の可動堰３２がオオプン状態になっているため自然に流下する。
図の（ａ）の状態になるのを待つ。
〈（ａ）の状態への移行〉【００１３】
図の（ａ）の状態への移行については、上流部右の可動堰２１を閉鎖し、ポンド６の水位が、ポンド７程度に低下したことを確認して、下流部左の可動堰３２を閉鎖し右の可動堰３１を開放すると同時に、上流部左の可動堰２２を開放することにより、図の（ａ）の状態となる。
上記の操作を繰り返すことによって、放流下水や放流下水の混入した河川水がきれいになり、魚介類の溯上も容易になる。
さらに洪水時には、すべての堰を開放する。【００１４】
なお、上下流左右の可動堰を交互に操作をすることによって、接触酸化堤の左右に水位差をつけ、接触酸化堤を河川の水を透過させ浄化すると共に、水質浄化効果を持続させるために、交互に操作により、接触酸化堤を右から左、左から右と透過させる方向を交互に変化させ、接触酸化堤の目詰まりを防止する。
さらに、これらの浄化能力や浄化容量を高めるために、時には上記の装置を並列的または縦列的に配置して上記の問題を解決するものである。
【産業上の利用可能性】
【００１５】
当装置は自然の浄化システムを利用したものであり、水処理により発生する汚泥は生態循環の中で自然に処理される。
また、ランニングコストも不要で、中でも一般的に下水処理の中で三次処理は下水処理で最も経費が嵩み、受益者負担が大きくなるが、当顔発明では軽減され為産業上の利用の可能性が高い。
【図１】
2008068872.tif 000003
【図２】
2008068872.tif 000004
【国際調査報告】
2008068872.tif 000005
2008068872.tif 000006